(57)【要約】【課題】腰骨の両側より少し後方両側面のズボンにボタンの取り付け台を設け、支持板の上部をサポーターに取り付けて、その下部をズボンの両側のボタンに掛け外しするようにして、ズボンとサポーターを着脱することを可能にしたので、荷物などの運搬作業中と軽作業中の使い分けを可能とするユニホーム腰痛防止サポーターを提供する。【解決手段】腰骨の少し後方両側面のズボン１の両側にボタンの取り付け台５を設け、その台に二個のボタン６を付け、両側の支持板２の下部にボタン穴を開け、両支持板２の上部をサポーターに縫合して設け、サポーター３を体に巻いて締め、取り付け台５に付けたボタン６を前記のボタン穴７に掛け、左右の支持板２で背骨を挟んで支えることで、コンテナの運搬、荷物の積み下ろし、雪かき、老人の入浴介護、などのユニホーム作業者の腰への負担を軽減して腰痛の防止を可能とする。【選択図】図１
0003117303.tif 000002
【実用新案登録請求の範囲】
【請求項１】
腰骨の少し後ろ側面に当たるズボンの両側にボタンの取り付け台を設けて、それぞれの台にボタンを付け、左右の支持板の下部にボタン穴を開け、支持板の上部を布製広幅のサポーターに縫い合わせて設け、サポーターの両側に取り付けた前記の支持板の下部を取り付け台のボタンに着脱できるようにしたユニホーム腰痛予防サポーター。
【請求項２】
請求項１に記載のサポーターの両側に取り付けた支持板の下部に二つのボタン穴を開け、ボタン穴に取り付け台に付けた二個のボタンを掛け、サポーターをズボンに着脱することができるようにしたことを特徴とするユニホーム腰痛予防サポーター。
【請求項３】
請求項１又は２に記載の取り付け台は、ズボンに縫合して貼り付けた厚手の牛革に二個のボタンを付け、これらのボタンを支持板の下部に開けた二個のボタン穴に掛けることができるようにしたものであることを特徴とするユニホーム腰痛予防サポーター。
【請求項４】
請求項１ないし３のいずれかに記載のボタン穴にはロック用の細い溝が形成してあるようにしたものであることを特徴とするユニホーム腰痛予防サポーター。
【考案の詳細な説明】
【技術分野】
【０００１】
本考案は、荷物の運搬、荷物の積み下ろし、介護、子守等の作業時のズボンとサポーターの装着が容易な腰痛予防サポーターに関するものである。
【背景技術】
【０００２】
サポーターとして吸汗拡散性に優れたバンド状衣類（特許文献１）、腰痛サポーター（特許文献２）、腰部用サポーター（特許文献３）、腰痛防止用のようなサポーターの類は実用に共されている。
実用のサポーターは、腰部の周囲に巻いて腰痛を防止する目的であって、蒸れない軽作業に適するものであれば実用上十分であったが、この種のサポーターは作業中に両腕に負荷を抱えて生じる腰痛を防止するためには、荷物の荷重や積み下ろしによって前屈みになる作業者にとって必ずしも十分な支えとしての機能がなく、農作業のコンテナの運搬、荷物の積み下ろし、老人の入浴用介護、などの重量のある負荷が腰にかかる作業には適さない。なぜなら、サポーターとユニフォームが別体であるために、ユニフォームとサポーターの併用で背骨を支えることができないという不便な面があった。
【０００３】
しかし、介護者の腰痛や疲労を防止することを目的として介護者の上半身を吊り上げるもの（特許文献４）、乗員の腰部を車輌座席のヘッドレストに吊り維持することによって運転者の長時間の腰部に加わる重力を軽減するもの（特許文献５）、患者の荷重負担を軽くし、治療期間を短くするため患者の腰部に腰巻帯を巻きつけて吊るもの（特許文献６）などに示された吊る道具を用いる場合には、設備装置を用いる必要がある。このような装置は、体のみで移動する業務中のユニホームとして使用するには適さない。いわゆる腰に帯びを巻いて腰部を吊る装置では、作業者が移動している場合には腰痛防止を行うことができないという欠点があった。
【０００４】
一般に作業中の作業者の腰痛を防止する用途において、この欠点は実質的な作業を行うことに関して大きな障害である。具体的には、両手に負荷を持つ場合には荷重を支える十分な負荷軽減に適さない、作業をしながら腰部を吊り負荷を軽減するには適さないなどの問題があった。
【０００５】
この改善策として、腰にコルセットを巻きつけて作業に際してコルセットによりある程度の負荷を支える方法がある。
【特許文献１】特開２００３−１０５６１５号公報
【特許文献２】特開２００２−０６５７１０号公報
【特許文献３】特開平０８−１９１８５０号公報
【特許文献４】特開２００２−０１７７９５号公報
【特許文献５】特開２００１−１９１８９６号公報
【特許文献６】特開２００２−３００５８８号公報
【考案の開示】
【考案が解決しようとする課題】
【０００６】
解決しようとする問題点は、腰痛障害となる荷物の運搬、荷物の積み下ろし、雪かき、入浴介護、子守などの両手にかかる荷重により、作業時に作業者が特に前屈み状態になるときが多く、背骨、腰部に生じる負荷を軽減して腰痛を予防するために胴部に巻いたサポーターに背骨を両側で支えるための支持板の上部を取り付け、作業者のズボンにサポーターを掛け外しができない点を改良して、ユニホームのズボンに支持板の下部を着脱することが可能なサポーターを提供しようとするものである。
【課題を解決するための手段】
【０００７】
本考案は、胴部に巻きつけて調整紐や粘着テープの調節で体に締めて付けることができるサポーターに背骨の左右に位置して上部を取り付けた支持板を設け、それぞれの下部をユニホームのズボンに着脱可能とするため、腰骨の両側より少し後ろ寄りにズボンに取り付け台を設け、それに二個のボタンを付けて支持板の下部に二つのボタン穴を開け、前記のボタンをボタン穴に掛け、外すことができるようにしたことを主要な特徴とする。
【考案の効果】
【０００８】
本考案のユニホーム腰痛防止サポーターは、常に腰骨の少し後方の両側に背骨を挟んで背骨の両側に左右の支持板を設けて、前屈みの姿勢の時、作業者の背骨を両側から二枚の支持板で支え腰痛を予防するサポーターをユニホームに着脱可能にして、軽作業時と重量のある負荷を両手に抱えることが必要とされる作業時とに使い分けができて支持板で背骨を支えるサポーターを常時腰に付ける負荷を軽減することができるという利点がある。
【考案を実施するための最良の形態】
【０００９】
背骨の両側に設けた左右の支持板で背骨を両側から支え、前屈み姿勢のときに背骨にかかる負荷を軽減し、腰にかかる負担を軽減するという目的を、胴部に巻いたサポーターに左右の支持板の上部を設けて両支持板の下部をユニホームのズボンに設けて、両者の着脱を可能にし、両手に負荷がかかってで前屈みに成っているときにも作業者の両手にかかる負荷を腰に生じさせないようにし、軽作業時にはサポーターをズボンから外してユニホームだけで使用できるようにした。
【実施例１】
【００１０】
図１〜６は、本考案装置の１実施例の説明図であって、その内図１はユニホーム腰痛予防サポーターの人体への装着方法を示した。１は  ズボン、２は  支持板、３は  サポーター、４は  支持板の上部をサポーターに設けるようにした縫合糸目、５は  取り付け台としてズボンに縫合した牛皮、６は  取り付け台に付けたボタン、７は  支持板に開けたボタン穴である。
【００１１】
柔らかい布製のサポーター３は人体の胴部に巻きつけてサポーターの紐や面ファスナーで締め具合を調整しながら装着する。サポーター２の左右に支持板２の上部をサポーターに丈夫な糸で縫合して（４は丈夫な糸で縫い合わせた縫合糸目である。）二枚の支持板をサポーターに取り付ける。前記のサポーター３に取り付けた二枚の支持板２の下部には、それぞれに二つのボタン穴７を開けてある。ユニホームのズボン１は、布地が丈夫な木綿製のジーンズが好ましく、ズボンの腰部の両側に支持板２の取り付け台５を槙着して丈夫な糸で縫合してある。その取り付け台の材質は丈夫な牛皮である。
【００１２】
左右の取り付け台５に二個のボタン６を付けて、これらのボタンを支持板２のボタン穴７にそれぞれ掛けて、ズボン１に着脱ができるようにサポーター３を取り付ける構成である。本考案の主体はサポーター３の左右の支持板２のボタン穴７にユニホームのズボン１の取り付け台５に付けたボタン６を掛け、外しすることを構成とすることにより、サポーター３とズボン１を連結も連結を解除することも可能にし、前記の左右の支持板２により、人体の背骨を支えることで背骨にかかる荷重を軽減するためにズボンと連結可能にしたサポーターを胴部に装着し背骨を支持する方法にある。
【００１３】
支持板２は合成樹脂製で背骨を両側から支えるものであるので、強く負荷に耐えられる丈夫ですぐに曲がらないものである。それぞれの支持板２の下部には二つのボタン穴７を開けてあり、ここにボタン６を掛けて支持板をひねるとボタン穴７に細く形成してある溝の内にボタンの付け糸が入って、支持板２の下部はボタン穴７の溝に入ったボタン６でロックされる。ロックを解除するためボタン穴７の溝からボタン６を外すと、ボタン穴７よりズボンとサポーターをつないでいるボタンが外れて支持板２はズボンから離れて、ズボン１とサポーター３が別々に分離されるのでサポーターを使用しなくてもいい場合には通常のユニホームのズボンとしての使用をすることもできる。
【００１４】
ユニホームのズボン１に縫合して設けた取り付け台５は、腰骨の少し後ろ側のズボンに縫合してあり、サポーター３に上部を取り付けた支持板２の下部のボタン穴７に取り付け台のボタン６を掛けて、ズボン１とサポーター３を支持板２で連結して、サポーターを胴に装着して使用する。図1に示す装着方法を参照しつつ、サポーター３の背面より見れば、その両側に位置して支持板２で背骨を挟み、作業者が両手に荷物を持った場合に左右の支持板２により背骨を支持する。取り付け台５は、支持板２にかかる荷重に耐えられるように丈夫で強い材料であって、例えば厚い牛皮をズボンの腰部の両側に丈夫な糸で縫合してある。
【００１５】
そして、それぞれの取り付け台には二箇所に丈夫なボタン６が丈夫な糸で付けてあって、これらのボタンをボタン穴７に掛けることによって、支持板２の下部はズボン１の腰部に外れにくくロックされる。
【００１６】
図４、サポーターの細部の構造を示した拡大説明図に示したように支持板２に開けたボタン穴７は、前記のボタン６を掛ける穴とこの穴にはロック用の細い溝が形成してある。このボタン穴７にボタン６を掛けて支持板をねじるとボタンの付け糸が前記の細い溝に入って、支持板はボタンによってロックされる。作業者が腰を屈めても、取り付け台５にロックされた支持板２は両側のズボンの腰にロックされた状態になっているので、取り付け台５から外れず、作業者は支持板により背骨を支持されて楽に作業を継続できる。
【００１７】
ユニホームのズボンとサポーターをボタンの掛け外しで着脱し、両者を結合して使用し、分解をしてユニホームのみを使用できるので、サポーターを胴並びにズボンから外しておけば、ユニホームを着て通常に作業をするときにもサポーターが作業を邪魔をすることがない。従って、作業者にとっては作業の種類によって、ユニホームのみの着用時またはユニホームとサポーターの両方の着用時の使い分けができる。この使い分けによって荷物を運搬するときには腰痛予防のサポーターを付けて作業をし、又事務的な作業や軽作業の時にはそれを外してもよく通常の作業ができるので能率の低下を防止する効果がある。
【産業上の利用可能性】
【００１８】
本考案は、ユニホームのズボンを履き、取り付け台に取付けたボタンをボタン穴に掛けてサポーターを胴に巻き締めて荷物を運ぶ作業をし、又は軽作業をするときもユニホームのズボンからサポーターを外してユニホームで作業ができることが特徴である。以上に記述の如くこのユニホーム腰痛予防サポーターは、ズボンの後方両側面の取り付け台のボタンを支持板の下部のボタン穴に掛けて左右の支持板で背骨を支えることで、作業者の腰への負担を軽減して腰痛の防止を可能とするものであるから、農作業者による果実を入れたコンテナの運搬、トラック荷台やモノレールの運搬台車への荷物の積み下ろし、雪かき、浴室や病室において浴槽に出入りする老人の入浴介護、子守などのユニホーム着用時のさまざまな用途にも適用できる。
【図面の簡単な説明】
【００１９】
【図１】ユニホーム腰痛予防サポーターの人体への装着方法を示した説明図である。（実施例１）
【図２】ユニホームのズボンとサポーターの分解方法を示した説明図である。（実施例１）
【図３】ユニホームのズボンとサポーターの結合方法を示した背面の説明図である。（実施例１）
【図４】サポーターの細部の構造を示した拡大説明図である。（実施例１）
【図５】ユニホームのズボンとサポーターの結合方法を示した正面の説明図である。（実施例１）
【図６】ユニホームのズボンとサポーターの結合方法を示した側面の説明図である。（実施例１）
【符号の説明】
【００２０】
１    ズボン
２    支持板
３    サポーター
４    縫合糸目
５    取り付け台
６    ボタン
７    ボタン穴
【図１】
0003117303.tif 000003
【図２】
0003117303.tif 000004
【図３】
0003117303.tif 000005
【図４】
0003117303.tif 000006
【図５】
0003117303.tif 000007
【図６】
0003117303.tif 000008